(57)【要約】【課題】  温度変化等による同軸ケーブルの内部絶縁体の縮みを低減する。【解決手段】  同軸ケーブル２の内部絶縁体２２に圧力を及ぼすように、同軸ケーブル２の外皮２４に金属かしめバンド３０を巻き付ける。【選択図】 図８
2006060964.tif 000002
【特許請求の範囲】
【請求項１】
同軸ケーブルの外皮に巻き付けられることで、前記同軸ケーブルの内部絶縁体に外側からの圧力を及ぼす同軸ケーブル締め部材。
【請求項２】
金属製であることを特徴とする請求項１に記載の締め部材。
【請求項３】
同軸ケーブルの内部絶縁体に圧力を及ぼすように、前記同軸ケーブルの外皮に物を巻き付ける同軸ケーブル締め方法。
【請求項４】
前記物は、金属であることを特徴とする請求項３に記載の同軸ケーブル締め方法。
【請求項５】
前記物を巻き付ける位置は、前記同軸ケーブルの外皮の終端から剥き出しになっている部分が変形しない程度に、その終端から離れた位置であることを特徴とする請求項３または４に記載の同軸ケーブル締め方法。
【請求項６】
前記同軸ケーブルの外皮の終端から１０ミリメートル以上離れた位置の外皮に、前記物を巻き付けることを特徴とする請求項３または４に記載の同軸ケーブル締め方法。
【請求項７】
請求項１または２に記載の同軸ケーブル締め部材が外皮に巻き付けられた同軸ケーブル。
【発明の詳細な説明】
【技術分野】
【０００１】
本発明は、同軸ケーブルの内部絶縁体の伸縮を抑えるための技術に関する。
【背景技術】
【０００２】
従来、自動車に搭載する通信機器の高周波コネクタには、コストを優先するため一般的に用いられる高周波コネクタ（例えばＳＭＡコネクタ）よりも構造を大幅に簡略した簡易的な樹脂性高周波コネクタが用いられる。この簡易高周波コネクタの電気的性能（特性インピーダンス）や機械的強度は、前者の高周波コネクタより大幅に劣る。
【０００３】
図１に、高周波コネクタ１、および簡易高周波コネクタ１に接続された同軸ケーブル２の横断面図を示す。簡易高周波コネクタ１は、樹脂製のハウジング１１内に、外部圧着端子１２、絶縁体１３、内部圧着端子１４を有している。中心導体２１、樹脂性の内部絶縁体２２、外部導体２３、樹脂製の外皮２４から成る同軸ケーブル２は、中心導体２１が内部圧着端子１４にかしめられ、剥き出されて外皮２４の外側に折り曲げられた外部導体２３が、外部圧着端子１２のかしめ部１５に包み込まれるようにかしめら高周波コネクタ１に電気的（高周波的）、機械的に接続される。そして、簡易高周波コネクタ１がオス・メス逆の簡易高周波コネクタに接続されることで、同軸ケーブル２は簡易高周波コネクタ１の先に高周波信号を伝搬するようになる。
【発明の開示】
【発明が解決しようとする課題】
【０００４】
しかし、このような簡易高周波コネクタを用いることにおいては、以下のような問題点がある。図１に示したように、外部圧着端子１２は、同軸ケーブル２の部導体２３を包み込むようにかしめるようになっているが、特性インピーダンスの変動を防止するため、外部導体２３の内径が大幅に変形しないような強度でかしめる必要がある。つまり、同軸ケーブル２は、機械的には必ずしも強固に締め付けられていないことになる。
【０００５】
このような場合、内部絶縁体２２や外皮２４等の樹脂には、自動車のような劣悪な環境下での温度ストレスや経年変化によりクリープが発生し、外部導体２３がかしめ部１５から外れる場合がある。
【０００６】
また、内部絶縁体２２は、図２に示すように、収縮して外皮２４よりも奥に入ってしまうことがある。以下、内部絶縁体２２の収縮について説明する。内部絶縁体２２の材質は、特性インピーダンス（５０Ω）や伝搬損失から決まる誘電率や誘電体損、コスト、環境特性、柔軟性等々の制約により、一般的にはＰＥ（ポリエチレン樹脂）が多く用いられている。自動車用の使用温度条件（−４０〜８５℃）下でのＰＥ伸縮量は、ＰＥ線膨張係数  （ｃｍ／ｃｍ／℃×１０−５）を約１５、ケーブル長を１ｍとすると、約２ｍｍとなる。同軸ケーブルメーカーは、材料選択やアニーリング等、このような伸縮を小さくするための工夫を行っているが、完全に無くすことは不可能である。
【０００７】
このように、かしめ部１５が緩むことと、内部絶縁体２２が収縮して奥に入ってしまうことで、保持されるものがなくなった外部導体２３の端部２５は、内側に変形してしまう場合がある。このような場合、同軸ケーブル２の特性インピーダンスが変動してＶＳＷＲが悪化してしまい、さらに最悪の場合には、外部導体２３と中心導体２１が短絡してしまう。
【０００８】
図４〜図７に、このような外部導体２３の変形による特性インピーダンスの変化を示すための測定結果のグラフを示す。このグラフの数値は、図３のような測定系においてネットワークアナライザ９によって測定検出された値である。この測定系においては、図１および図２に示した簡易高周波コネクタ１および同軸ケーブル２の、簡易高周波コネクタ１の先に高周波コネクタ３、同軸ケーブル４、終端５がこの順に接続され、同軸ケーブル２の反対側に高周波コネクタ６、高周波コネクタ７、同軸ケーブル８、ネットワークアナライザ９がこの順に接続されている。
【０００９】
図４および図５は、図１に示したような簡易高周波コネクタ１、同軸ケーブル２についての測定結果であり、それぞれ「信号周波数対同軸ケーブル２全体のＶＳＷＲ」、「距離対同軸ケーブル２上の特定の位置のＶＳＷＲ」の関係を示している。なお、ここでいう距離とは、高周波コネクタ６から同軸ケーブル２に沿ったその特定の位置の距離をいう。また、図６および図７は、図２に示したような外部導体２３が変形した場合の簡易高周波コネクタ１および同軸ケーブル２についての測定結果であり、それぞれ周波数対ＶＳＷＲ、距離対ＶＳＷＲの関係を示している。
【００１０】
図４および図６に示す通り、外部導体２３が変形した場合の方が同軸ケーブル２全体のＶＳＷＲが高くなっており、特性インピーダンスが悪化している。なお、図４および図６の逆三角形で示した位置は、周波数が約１．５ＧＨｚの位置である。
【００１１】
また、図５と図７を比較すると、逆三角形で示した位置の距離において、特に特性インピーダンスが悪化していることがわかる。この位置は、図２における外部導体２３の端部２５に相当する。したがって、同軸ケーブル２の特性インピーダンスの悪化は、同軸ケーブル２の端部にある外部導体２３の悪化によるものであるといえる。
【００１２】
本発明は上記点に鑑み、温度変化等による同軸ケーブルの内部絶縁体の縮みを低減することを目的とする。
【課題を解決するための手段】
【００１３】
上記目的を達成するための請求項１に記載の発明は、同軸ケーブルの外皮に巻き付けられることで、前記同軸ケーブルの内部絶縁体に外側からの圧力を及ぼす同軸ケーブル締め部材である。
【００１４】
このような同軸ケーブル締め部材が巻き付けられた同軸ケーブルは、内部絶縁体に対して圧力がかかり、内部絶縁体の伸縮が低減する。
【００１５】
また、請求項２に記載の発明は、請求項１に記載の締め部材において、金属製であることを特徴とする。
【００１６】
また、請求項３に記載の発明は、同軸ケーブルの内部絶縁体に圧力を及ぼすように、前記同軸ケーブルの外皮に物を巻き付ける同軸ケーブル締め方法である。
【００１７】
このような方法で同軸ケーブルを締めることで、内部絶縁体に圧力がかかり、内部絶縁体の伸縮が低減する。
【００１８】
また、請求項４に記載の発明は、請求項３に記載の同軸ケーブル締め方法において、前記物は、金属であることを特徴とする。
【００１９】
また、請求項５に記載の発明は、請求項３または４に記載の同軸ケーブル締め方法において、前記物を巻き付ける位置は、前記同軸ケーブルの外皮の終端から剥き出しになっている部分が変形しない程度に、その終端から離れた位置であることを特徴とする。
【００２０】
このようになっているので、同軸ケーブルの外皮の終端から剥き出しになっている部分が変形せず、このような同軸ケーブル締め方法による、外部導体の変形が抑えられる。
【００２１】
また、請求項６に記載の発明は、請求項３または４に記載の同軸ケーブル締め方法において、前記同軸ケーブルの外皮の終端から１０ミリメートル以上離れた位置の外皮に、前記物を巻き付けることを特徴とする。
【００２２】
また、請求項７に記載の発明は、請求項１または２に記載の同軸ケーブル締め部材が外皮に巻き付けられた同軸ケーブルである。
【発明を実施するための最良の形態】
【００２３】
以下、本発明の一実施形態について説明する。図８に、本実施形態に係る金属かしめバンド（同軸ケーブル締め部材に相当する）３０の同軸ケーブル２に対する取り付け状態を示す。また、図９は、図８のＡ−Ａ断面図である。なお、本実施形態の簡易高周波コネクタ１および同軸ケーブル２は、図１に示したものと同じである。
【００２４】
金属かしめバンド３０は、簡易高周波コネクタ１とは別部材の金属製の板であり、同軸ケーブル２への取り付け前は、その板面がＵ字上に曲がっている。この金属かしめバンド３０を平らにしたときのサイズは、例えば縦横１ｃｍ程度である。
【００２５】
この金属かしめバンド３０は、同軸ケーブル２への取り付け時に、同軸ケーブル２のある位置の外皮２４に巻き付けられる。この巻き付けは、同軸ケーブル２の内部絶縁体２２の伸縮が阻害される程度に、この内部絶縁体２２に圧力が及ぶ程度の強さで締め付けるように行う。この巻き付けは、例えば、ペンチ等で金属かしめバンド３０を曲げることで実現する。
【００２６】
なお、巻き付けの位置は、同軸ケーブル２上であればどこでもよいが、外皮２４の簡易高周波コネクタ１側の終端２６から１０ミリメートル以上離れた位置がより望ましい。これは、金属かしめバンド３０を巻き付ける位置は、同軸ケーブル２の外皮２４の終端２６から剥き出しになっている外部導体２３が、金属かしめバンド３０の圧力によって変形しない程度に、その終端２６から離れた位置であることが望ましいという要請に基づいている。
【００２７】
このようになっているので、同軸ケーブルの外皮の終端から剥き出しになっている部分が変形せず、このような同軸ケーブル締め方法による、外部導体の変形が抑えられる。
【００２８】
このような金属かしめバンド３０が巻き付けられた同軸ケーブル２は、内部絶縁体２２に対して圧力がかかり、内部絶縁体２２の伸縮が低減する。
【００２９】
なお、同軸ケーブル締め部材としての金属かしめバンド３０は、必ずしも金属製でなくともよい。例えば、同軸ケーブル締め部材は、樹脂製となっており、その樹脂で同軸ケーブル２を縛るように、同軸ケーブル締め部材を同軸ケーブル２に巻き付けることで、同軸ケーブル２の内部絶縁体２２に圧力を及ぼすようになっていてもよい。
【図面の簡単な説明】
【００３０】
【図１】簡易高周波コネクタ１に同軸ケーブル２が接続された状態の断面図である。
【図２】図１に同軸ケーブル２の内部絶縁体２２が縮んだ場合の図である。
【図３】同軸ケーブル２のＶＳＷＲの測定系を示す図である。
【図４】図１の場合における周波数−ＶＳＷＲグラフである。
【図５】図１の場合における距離−ＶＳＷＲグラフである。
【図６】図２の場合における周波数−ＶＳＷＲグラフである。
【図７】図２の場合における距離−ＶＳＷＲグラフである。
【図８】本発明の実施形態に係る金属かしめバンド３０の同軸ケーブル２への取り付け状態を示す図である。
【図９】図８のＡ−Ａ断面図である。
【符号の説明】
【００３１】
１…簡易高周波コネクタ、２…同軸ケーブル、３、６、７…高周波コネクタ、
４、８…同軸ケーブル、５…終端、９…ネットワークアナライザ、１０…位置、
１１…ハウジング、１２…外部圧着端子、１３…絶縁体、１４…内部圧着端子、
１５…かしめ部、２１…中心導体、２２…内部絶縁体、２３…外部導体、２４…外皮、
２５…外部導体端部、２６…外皮２４の終端、３０…金属かしめバンド。
【図１】
2006060964.tif 000003
【図２】
2006060964.tif 000004
【図３】
2006060964.tif 000005
【図４】
2006060964.tif 000006
【図５】
2006060964.tif 000007
【図６】
2006060964.tif 000008
【図７】
2006060964.tif 000009
【図８】
2006060964.tif 000010
【図９】
2006060964.tif 000011